(57)【要約】      （修正有）【課題】骨つぼを陶磁器製のつぼではなく、遺骨を土に還すことのできるつぼを開発すること、更には現在、骨つぼ、骨箱、白布または装飾用袋体の３点を使用している無駄を省く遺骨収納容器を提供する。【解決手段】生分解性を有する紙材又はバイオマスプラスチック等を用いて成形してなる遺骨収納容器であるので、当該遺骨収納容器のまま墓の納骨室に入れておいても、月日がたてば容器は生分解して遺骨は土に還るものである。また遺骨を納骨室内に散骨するにしても、容器は燃やすことが可能であり、骨つぼの処置に困ることは無い。しかも従来は骨つぼを桐材等の骨箱に収納し、更に白布で包んだり、装飾用の袋体に収納していたが、本体が従来の骨箱と装飾用の袋体を兼用した形状となっているので、従来３点用いていたものが遺骨収納容器１個のみでまかなえるものである。【選択図】図３
0003149199.tif 000002
【実用新案登録請求の範囲】
【請求項１】
骨収納体と、当該骨収納体に着脱自在に被冠すべく構成した本体からなり、上面視が正方形の角筒の骨収納体は、上面は開放し、底部は角筒外面より若干突出するように広く形成し、高さは本体の屋根部下端より適宜短い寸法とすると共に、同じく角筒の本体下部より挿入可能に形成する。本体は、同じく上面視が正方形の角筒であり、当該角筒の上縁部の四面のうち、対向する二面を、当該面の上縁中央部に折り目をつけながら内向きに折り曲げて両面の折目同士を接触させ、次いで、他の対抗する二面を斜めに折り曲げて、その上縁同士を熱融着または接着して屋根型とし、前記骨収納体に被冠し得るべく構成してなる遺骨収納容器。
【請求項２】
前記骨収納体と本体が、生分解性を有する紙材又はバイオマスプラスチック等を用いて成形してなる請求項１の遺骨収納容器。
【考案の詳細な説明】
【技術分野】
【０００１】  本考案は、骨つぼと骨箱、更には骨箱を収納する袋体等の改良に関するものである。
【背景技術】
【０００２】  従来より骨つぼは陶磁器製からなる蓋付容器が一般的であり、当該骨つぼを桐材等からなる骨箱に収納し、更に当該骨箱を白布で包むか、或いは装飾を施した袋体に収納している。【０００３】  一方、納骨の方法は、現在では納骨堂或いは墓の納骨室に骨つぼのまま納骨するのが主流に成っているが、昔は人が亡くなると、その遺体を棺桶に納めて、地面に穴を掘り、地下へ埋葬していたことから分かるように、遺骨は土に還すということが本来の考えであり、現在でも、宗派又は地方によっては四十九日の法要後、遺骨は骨つぼから出して墓の納骨室内に散骨されていることが多い。即ち、納骨堂或いは墓の納骨室に骨壷のまま納骨する場合を除けば、極端な言い方ではあるが、骨つぼは火葬場から墓地へ遺骨を運ぶための容器でしかないのである。【０００４】  また現在の骨つぼは磁器製品がほとんどであり、納骨室内に遺骨を散骨した後、その骨つぼの処理という問題もあった。住職等は、使用済みの骨つぼは小さく割って、屋敷内の人の踏まないような場所に埋めなさいというが、実際に割って屋敷内に埋めるというのも遺骨が入っていた骨つぼということから、なかなか難しい問題もあり、仮に屋敷内に埋めるとしても広い屋敷を有している田舎の家はそれが可能としても、都会に居住する人たちにとっては困難なことであり、場合に寄っては、割って不燃ごみとして出すようなこともあったのである。【０００５】  また納骨室内に散骨する場合も、そのまま散骨しないで、生分解性を有する木綿の袋等に納めて納骨室内に納めることが良いといわれ、しかもその袋には、般若心経等の経文を書き込んでおけば故人も成仏できるといわれている。
【考案の開示】
【考案が解決しようとする課題】
【０００６】  解決しようとする問題点は、骨つぼを陶磁器製のつぼではなく、遺骨を土に還すことのできるつぼを開発すること、更には現在、骨つぼ、骨箱、白布または装飾用袋体の３点を使用している無駄を省くことが考案が解決しようとする課題である。
【課題を解決するための手段】
【０００７】  本考案は、納骨された遺骨を土に還す手段として、骨つぼを生分解性を有する材料で成形すること、更には、骨つぼ、骨箱、白布または装飾用袋体の３点を収納容器１個でまかなうこと、これらが課題を解決するための手段である。
【考案の効果】
【０００８】  従来は陶磁器の単なる白いつぼであり、遺骨を骨つぼにいれたまま納骨しておく場合には問題はなかったものの、四十九日の法要終了後に遺骨を骨つぼから出して納骨室内に散骨する場合には、散骨した後の骨つぼの処理に問題があり、また散骨する場合にも木綿の袋等に入れて納骨室内に入れていたが、本考案では生分解性を有する紙材又はバイオマスプラスチック等を用いて成形してなる遺骨収納容器であるので、当該遺骨収納容器のまま墓の納骨室に入れておいても、月日がたてば容器は生分解して遺骨は土に還るものである。また遺骨を納骨室内に散骨するにしても、容器は燃やすことが可能であり、骨つぼの処置に困ることは無い。しかも従来は骨つぼを桐材等の骨箱に収納し、更に白布で包んだり、装飾用の袋体に収納していたが、本考案では本体が従来の骨箱と装飾用の袋体を兼用した形状となっているので、従来３点用いていたものが遺骨収納容器１個のみでまかなえるものである。また当該遺骨収納容器の背面に般若心経等夫々の宗旨の経文を表現しておけば、故人も成仏できるものである等、極めて実用的な効果を有するものである。
【考案を実施するための最良の形態】
【０００９】  本考案は、骨収納体と、当該骨収納体に着脱自在に被冠すべく構成した本体からなり、上面視が正方形の角筒の骨収納体は、上面は開放し、底部は角筒外面より若干突出するように広く形成し、高さは本体の屋根部下端より適宜短い寸法とすると共に、同じく角筒の本体下部より挿入可能に形成する。本体は、同じく上面視が正方形の角筒であり、当該角筒の上縁部の四面のうち、対向する二面を、当該面の上縁中央部に折り目をつけながら内向きに折り曲げて両面の折目同士を接触させ、次いで、他の対抗する二面を斜めに折り曲げて、その上縁同士を熱融着または接着して屋根型とし、前記骨収納体に被冠し得るべく構成してなる遺骨収納容器であり、更には、前記骨収納体と本体が、生分解性を有する紙材又はバイオマスプラスチック等を用いて成形してなる請求項１の遺骨収納容器を呈せんとするものである。
【実施例１】
【００１０】  遺骨収納容器１は、主として本体２と骨収納体３により構成される。当該本体２と骨収納体３は生分解性を有する紙材又はバイオマスプラスチック等により成形されている。合板を含む薄板材で加工することも可能である。【００１１】  本体２は、上面視が正方形の角筒であり、当該角筒の上縁部の四面のうち、対向する二面（折り曲げ面）４を、当該面の上縁５中央部に折り目をつけながら内向きに折り曲げて両面４の折目同士を接触させ、次いで、他の対抗する二面（屋根構成面）６を斜めに折り曲げて、その上縁７同士を熱融着または接着して屋根型としている。下面は開放されている。【００１２】  骨収納体３は、同じく上面視が正方形の角筒であり、上面は開放し、底面８は角筒の外側より若干突出した形状としている。角筒の大きさは前記本体２の角筒部分に容易に挿入し得る大きさとしている。高さは本体の屋根部下端より適宜短い寸法としている。角筒部の厚みは前記本体２の角筒より厚みを大としている。手で掴んで容易に変形しない厚みが望ましい。【００１３】  本体２は表面に装飾模様を印刷してもよく、また屋根部分に飾り房９を配設し、正面には戒名等記入箇所１０、また裏側には梵字または般若心経等の経文を印刷している。【００１４】  また図示はしていないが、骨収納体３の高さを低く形成し、当該骨収納体３にその他の骨つぼを載置して、本体２を被冠して遺骨収納容器とすることも可能である。即ち本考案の遺骨収納容器１が従来の骨箱と同様とするものである。
【産業上の利用可能性】
【００１５】  本考案は、骨収納体３と、当該骨収納体３に着脱自在に被冠すべく構成した本体２からなり、上面視が正方形の角筒の骨収納体３は、上面は開放し、底部８は角筒外面より若干突出するように広く形成し、高さは本体の屋根部下端より適宜短い寸法とすると共に、同じく角筒の本体下部より挿入可能に形成する。本体２は、同じく上面視が正方形の角筒であり、当該角筒の上縁部の四面のうち、対向する二面４を、当該面の上縁５中央部に折り目をつけながら内向きに折り曲げて両面４の折目同士を接触させ、次いで、他の対抗する二面６を斜めに折り曲げて、その上縁７同士を熱融着または接着して屋根型とし、前記骨収納体３に被冠し得るべく構成してなる遺骨収納容器１であり、更には、前記骨収納体３と本体２が、生分解性を有する紙材又はバイオマスプラスチック等を用いて成形してなる遺骨収納容器１であるから、従来は骨つぼを桐材等の骨箱に収納し、更に白布で包んだり、装飾用の袋体に収納していたが、本考案では本体２が従来の骨箱と装飾用の袋体を兼用した形状となっているので、従来３点用いていたものが遺骨収納容器１個のみでまかなえる等、無駄も省け、しかも安価に提供することができる。また生分解性を有する紙材又はバイオマスプラスチック等を用いて成形してなる遺骨収納容器１であり、植物等を原料としているので、微生物によって最終的に二酸化炭素と水に分解されることから、遺骨を土に還すことが容易に行われる。また仮に散骨後に骨つぼ１を焼却することがあっても、バイオマスプラスチックには塩素を含んでいないことから、燃やした場合焼却温度が紙と同じ程度といった利点も上げられる。またバイオマスは耐熱性や剛性に優れた植物由来樹脂であり、成形性や収縮率がＡＢＳ、ＰＣ並みであり、通常の加工設備で製造することができる。また微力ではあるが、国産バイオマスの利活用により化石資源を節約できる。未利用バイオマスの林産資源（林地残材）に至っては年間発生量が３７０万トンといわれているが、そのほとんどが未利用であり、これを活用することができる等、産業上での利用可能性は極めて大きいものがある。
【図面の簡単な説明】
【００１６】
【図１】  本体斜視図
【図２】  骨収納体斜視図
【図３】  使用状態を示す斜視図
【図４】  屋根部折り畳みを示す平面図
【符号の説明】
【００１７】  １  遺骨収納容器
２  本体
３  骨収納体
４  折り曲げ面
５  折り曲げ面の上縁
６  屋根構成面
７  屋根構成面の上縁
８  骨収納体の底部
９  飾り房
１０  戒名等記入箇所
【図１】
0003149199.tif 000003
【図２】
0003149199.tif 000004
【図３】
0003149199.tif 000005
【図４】
0003149199.tif 000006
【手続補正書】
【提出日】平成20年12月3日(2008.12.3)
【手続補正１】
【補正対象書類名】実用新案登録請求の範囲
【補正対象項目名】全文
【補正方法】変更
【補正の内容】
【実用新案登録請求の範囲】
【請求項１】
骨収納体と、当該骨収納体に着脱自在に被冠すべく構成した本体からなり、上面視が正方形の角筒の骨収納体は、上面は開放し、底部は角筒外面より若干突出するように広く形成し、高さは本体の屋根部下端より適宜短い寸法とすると共に、同じく角筒の本体下部より挿入可能に形成し、本体は、同じく上面視が正方形の角筒であり、当該角筒の上縁部の四面のうち、対向する二面を、当該面の上縁中央部に折り目をつけながら内向きに折り曲げて両面の折目同士を接触させ、次いで、他の対抗する二面を斜めに折り曲げて、その上縁同士を熱融着または接着して屋根型とし、前記骨収納体に被冠し得るべく構成してなる遺骨収納容器。
【請求項２】
前記骨収納体と本体が、生分解性を有する紙材又はバイオマスプラスチック等を用いて成形してなる請求項１の遺骨収納容器。